(57)【要約】【課題】手提げ袋を横の状態で置いた場合でも、手提げ袋の中の荷物を飛び出し難くすることができる手提げ袋用のシール部材を提供する。【解決手段】シール部材１０は、帯状の紙からなるテープ本体１１と、このテープ本体１１の長さ方向の両端部の一面側に設けられた粘着剤層１２，１２とから構成されており、両粘着剤層１２，１２間は非粘着層１３とされている。テープ本体１１は粘着剤層１２と非粘着層１３との境界部分において粘着剤層１２側が内側となるように折り返されており、粘着剤層１２と非粘着層１３とが剥離可能に重ね合わされている。シール部材１０を使用する際には、テープ本体１１を手提げ袋３０の開口３１の両側縁部間に架け渡し、粘着剤層１２を非粘着層１３から引き剥がし、露出された粘着剤層１２を手提げ袋３０の側面に貼り付ける。【選択図】  図７
2004250033.tif 000002
【特許請求の範囲】
【請求項１】
手提げ袋の上部開口の両開口側縁部間に架け渡される帯状のシール部材であって、前記上部開口の両開口側縁部間に架け渡し可能な長さを有するテープ本体と、そのテープ本体の両端部に設けられ常時は剥離可能な剥離層に覆われ、この剥離層を剥離することにより前記手提げ袋の開口側縁部に粘着かつ剥離可能な粘着剤層と、前記テープ本体のうち前記両粘着剤層間に位置して設けられた非粘着面とを備えてなる手提げ袋用シール部材。
【請求項２】
前記非粘着面と前記粘着剤層との境界部分を折り曲げて前記粘着剤層を前記非粘着面に重ねた形態とすることで、前記非粘着面と前記剥離層とが兼用されていることを特徴とする請求項１に記載の手提げ袋用シール部材。
【請求項３】
前記テープ本体の長さ方向の中央で、前記非粘着面に重ねた粘着剤層を内側として折り曲げられていることを特徴とする請求項２に記載の手提げ袋用シール部材。
【請求項４】
前記テープ本体にはその全体に前記粘着剤層が形成され、前記非粘着面は、一方の面に前記粘着剤層が剥離可能である剥離層を有すると共に他方の面に前記粘着剤層が粘着する粘着可能面を有する剥離紙を、前記粘着可能面が前記テープ本体の中央部の粘着剤層に重ねて前記剥離層が表側になるように貼り付けて構成されていることを特徴とする請求項１ないし請求項３のいずれかに記載の手提げ袋用シール部材。
【発明の詳細な説明】
【０００１】
【発明の属する技術分野】
本発明は、手提げ袋の上部開口の一部に架け渡して留めることにより手提げ袋の中に収容された荷物を飛び出し難くすることができる手提げ袋用シール部材に関する。
【０００２】
【従来の技術】
例えば駅や空港で購入した土産や、デパートで購入した商品等は手提げ袋に収容して持ち運ぶ。ところが、その手提げ袋を電車の荷物棚や車に、横倒しの状態にして置くと、振動等によって手提げ袋の開口から中の荷物が飛び出して散乱したり、棚から落ちてしまうという問題がある。
【０００３】
このような問題を解決するためには、手提げ袋の開口を閉じて糊やホッチキスで留めてしまうことも考えられるが、見栄えがよいものではない。また、手提げ袋の開口側縁部間に粘着テープ等を掛け渡すことによって、開口を閉じることも考えられるが、一般の粘着テープは一度貼り付けると簡単に剥がせないため、手提げ袋の中に荷物を追加したい場合に不便であり、場合によっては無理に剥がそうとして手提げ袋を破ってしまうことがある。また、一旦剥がした粘着テープを再度貼り付けて開口を閉じようとしても、粘着機能が失われて使用できない場合もある。さらに、その手提げ袋を後に再利用したい場合でも、表面が粘着剤層により剥がされて見栄えが悪くなり、利用できなくなる場合がある。
【０００４】
また、例えば手提げ袋に大きな商品を収容した場合には、手提げ袋の開口をぴったり閉じることができないから、粘着テープは商品にも接するように架け渡される。すると、テープの粘着面が手提げ袋の中の商品の表面に貼り付いてしまい、これを剥がそうとすると商品の包装紙が破れてしまうことがある。
【０００５】
【発明が解決しようとする課題】
本発明は上記事情に鑑みてなされたものであって、手提げ袋を横の状態で置いた場合でも手提げ袋の中の荷物を飛び出し難くすることができ、かつ使い勝手のよい手提げ袋用のシール部材を提供することを目的とするものである。
【０００６】
【課題を解決するための手段】
上記課題を解決するための請求項１の発明は、手提げ袋の上部開口の両開口側縁部間に架け渡される帯状の手提げ袋用シール部材であって、前記上部開口の両開口側縁部間に架け渡し可能な長さを有するテープ本体と、そのテープ本体の両端部に設けられ常時は剥離可能な剥離層に覆われ、この剥離層を剥離することにより前記手提げ袋の開口側縁部に粘着かつ剥離可能な粘着剤層と、前記テープ本体のうち前記両粘着剤層間に位置して設けられた非粘着面とを備えてなるところに特徴を有する。
【０００７】
また、請求項２の発明は、請求項１に記載の手提げ袋用シール部材であって、前記非粘着面と前記粘着剤層との境界部分を折り曲げて前記粘着剤層を前記非粘着面に重ねた形態とすることで、前記非粘着面と前記剥離層とが兼用されているところに特徴を有する。
【０００８】
請求項３の発明は、請求項２に記載の手提げ袋用シール部材であって、前記テープ本体の長さ方向の中央で、前記非粘着面に重ねた粘着剤層を内側として折り曲げられているところに特徴を有する。
【０００９】
請求項４の発明は、請求項１ないし請求項３のいずれかに記載の手提げ袋用シール部材であって、前記テープ本体にはその全体に前記粘着剤層が形成され、前記非粘着面は、一方の面に前記粘着剤層が剥離可能である剥離層を有すると共に他方の面に前記粘着剤層が粘着する粘着可能面を有する剥離紙を、前記粘着可能面が前記テープ本体の中央部の粘着剤層に重ねて前記剥離層が表側になるように貼り付けて構成されているところに特徴を有する。
【００１０】
【発明の作用および効果】
上記請求項１の発明によれば、テープ本体を手提げ袋の上部開口の両開口側縁部間に架け渡して、両端部に設けられた粘着剤層をその開口側縁部に貼り付けるという簡単な作業により、手提げ袋の上部開口の一部をテープ本体で塞いだ状態とするとともに開口全体を開き難くすることができるから、手提げ袋を横の状態で置いた場合でも中の荷物を飛び出し難くすることができる。
また、テープ本体の両端部の粘着剤層間には非粘着面が設けられているから、手提げ袋の開口が開いた状態のままで本発明のシール部材を使用する場合でも、袋の開口に対向するテープ本体の露出面が中の荷物に貼り付いてしまうことがない。さらに、粘着剤層は剥離可能であるから、必要に応じてテープ本体を手提げ袋から簡単に剥がすことができ、手提げ袋の表面を見苦しく剥がしたり破ってしまうことがない。
【００１１】
また請求項２の発明によれば、テープ本体の非粘着面が粘着剤層を覆うための剥離層を兼ねる構成とされているので、別体の剥離層（剥離紙）が不要となり、ごみが出なくて環境によい。
【００１２】
請求項３の発明によれば、全体がコンパクトになるばかりか、使用者がテープ本体のどの部分が中央であるかが一目で分かり、テープ本体を手提げ袋の上部開口に架け渡す際の目安とすることができる。さらに、テープ本体のどちらの面を手提げ袋の上部開口に対向させて架け渡せばよいかが分かり易い。
【００１３】
また、請求項４の発明のように、テープ本体の非粘着面を構成する部分にも粘着剤層を設け、その粘着剤層に剥離層が表側になるように剥離紙を重ね合わせることにより非粘着面を形成する構成としてもよく、そのようにした場合にはテープ本体の非粘着面を構成する部分の強度が増す。
【００１４】
【発明の実施の形態】
＜第１実施形態＞
以下、本発明を具体化した本発明の第１実施形態について図１ないし図７を参照して説明する。
図１は本実施形態の手提げ袋用シール部材１０の斜視図、図２（Ａ）はその断面図を表している。手提げ袋用シール部材１０は、例えば長さ２４０ｍｍ、幅６０ｍｍの帯状の紙からなるテープ本体１１と、このテープ本体１１の長さ方向の両端部の一面側に設けられた、各長さが４０ｍｍの粘着剤層１２，１２とから構成されている。テープ本体１１の両粘着剤層１２，１２間は、非粘着面１３とされている。
【００１５】
テープ本体１１は、図２に示すように、粘着剤層１２と非粘着面１３との境界部分において粘着剤層１２側が内側となるように折り返されており、粘着剤層１２と非粘着面１３とが重ね合わされた形態とされている。なお、非粘着面１３の粘着剤層１２が重ね合わされる面側には予めポリエチレンフィルムの剥離層１８が加熱ラミネートされており、粘着剤層１２と非粘着面１３とは剥離可能とされている。また、粘着剤層１２は、剥離層１８から剥離させて一旦紙等に粘着させた後も再剥離可能な構成とされている。さらに、テープ本体１１の長さ方向の中央には、図１に示すように、粘着剤層１２が重ね合わされている面が内側となる方向の折り目１４が、幅方向にわたって予め形成されている。
【００１６】
上述したような本実施形態の手提げ袋用シール部材１０を使用する際には、まず図３および図４に示すように、テープ本体１１に形成された折り目１４に沿って、テープ本体１１を粘着剤層１２が重ね合わされている面が内側となる方向に折り曲げる。そして、その折り目１４の内側が手提げ袋３０の開口３１と対向する向きにして、テープ本体１１を開口３１の両側縁部間に架け渡す。この時、折り目１４を目安として、テープ本体１１のおおよその配置を決定するとよい。そして、図５および図６に示すように、粘着剤層１２を非粘着面１３から引き剥がしてテープ本体１１の両端部の粘着剤層１２を露出させ、図７に示すように、露出された粘着剤層１２を手提げ袋３０の側面に貼り付けて、手提げ袋３０の開口３１の一部をテープ本体１１によって開かないように留めた状態とする。この時、テープ本体１１の両端部をなるべく手提げ袋３０の底面側（図７の下方側）に引っ張りながら貼り付けると、開口３１がより開き難くなる。
【００１７】
このように、本実施形態の手提げ袋用シール部材１０によれば、手提げ袋３０の開口３１の一部をその開き具合に合わせて簡単に閉じて、中の荷物が飛び出してしまうことを防止することができる。また、テープ本体１１の両端部の粘着剤層１２，１２間には非粘着面１３が設けられているから、図７のように手提げ袋３０から荷物が飛び出して袋３０の開口３１が開いた状態のままシール部材１０を使用する場合でも、テープ本体１１が中の荷物に貼り付いてしまうことがない。さらに、上述したように粘着剤層１２は再剥離可能とされているから、荷物が増えた場合等にはシール部材１０を一旦剥離して手提げ袋３０の中に追加の荷物を入れ、再び貼り付けることができる。また、手提げ袋３０の表面を見苦しく剥がしたり破ってしまうこともないから、手提げ袋３０を再利用することができる。
【００１８】
また、本実施形態では、テープ本体１１の非粘着面１３が粘着剤層１２を覆うための剥離紙を兼ねる構成とされているので、別体の剥離紙が不要であり、ごみが出なくて環境によい。
【００１９】
＜第２実施形態＞
図８は本発明の第２実施形態の手提げ袋用テープ部材２０の断面図である。以下、上記実施形態と重複する部分は説明を省略する。
本実施形態の手提げ袋用テープ部材２０は、テープ本体２１全体が例えば紙２７と、粘着剤層２２と、一方の面に粘着剤層２２が剥離可能な剥離層２８を有するとともに他方の面は粘着剤層２２が粘着可能とされた剥離紙２６とからなる３層構造のシートによって構成したところが、上記第１実施形態のテープ部材１０とは異なる。なお、図８（Ｅ）がこのテープ部材２０の完成形態を示しており、以下その製造方法について説明する。
【００２０】
まず、図８（Ａ）に示すように、紙２７と粘着剤層２２とを積層させ、さらに粘着剤層２２に、剥離層２８が粘着剤層２２と対向するようにして剥離紙２６を積層させる。次に、図８（Ｂ）に示すように、テープ部材２１の非粘着面２３を構成する部分（中央部分）の剥離紙２６を粘着剤層２２から引き剥がし、表裏を反転させて、再び粘着剤層２２に積層させる。これにより、図８（Ｃ）に示すように、非粘着面２３を構成する部分（中央部分）の剥離紙２６が粘着剤層２２から剥離不可となるとともに、剥離層２８がテープ部材２１の表面側に露出した形態となる。
【００２１】
次に、図８（Ｄ）に示すように、テープ部材２１の両端部の剥離紙２６を引き剥がし、粘着剤層２２を露出させる。そして、粘着剤層２２と非粘着面２３との境界部分でテープ部材２１を折り返して粘着剤層２２と非粘着面２３とを重ね合わせることにより、本実施形態の手提げ袋用テープ部材２０が完成する（図８（Ｅ））。
【００２２】
このような本実施形態の手提げ袋用テープ部材２０は、上記実施形態と同様の作用効果に加え、テープ部材２１の非粘着面２３を構成する部分（中央部分）が３層構造とされているので、上記実施形態のテープ部材１０と比較して強度が増すという作用効果を奏する。
【００２３】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
【００２４】
（１）上記第１実施形態では、テープ本体１１に予め折り目１４を形成しておく構成としたが、折り目は必ずしも必要ではない。また、使用前にテープ本体１１を折り曲げる作業も、必要に応じて行えばよい。
【００２５】
（２）上記実施形態では、粘着剤層の合計長さをテープ本体全体の長さの１／４と短く形成したが、例えば図９に示すように、テープ本体全体に折り重ねられる長さ（テープ本体の長さの１／２）としてもよい。
【００２６】
（３）上記実施形態では、テープ本体全体を連続した一枚の紙あるいはシートで構成したが、これに限らず、例えば図１０および図１１に示すように、粘着剤層が設けられる部分（両端部）を非粘着面を構成する部分（中央部分）とは別部材によって構成し、例えばセロハンテープ等の連結部材１５で連結するようにしてもよい。また、テープ等に限らず、熱で融着させたり強粘接着剤で連結させる構成としてもよい。
【００２７】
（４）上記実施形態では、粘着剤層をテープ本体の非粘着面に剥離可能に折り重ねておく構成としたが、粘着剤層を別体の剥離紙で覆う構成としてもよい。例えば、上記第２実施形態では、図８（Ｅ）をシール部材２０の完成形態としたが、例えば図８（Ａ）や図８（Ｃ）の状態を完成形態とし、製品として出荷してもよい。
【００２８】
（５）テープ本体の材質は紙に限らず、ポリプロピレンやポリエチレン等のフィルム類、その他を使用することができる。
【００２９】
（６）テープ本体の露出面側に広告等を印刷して使用してもよい（図１および図７参照）。
【図面の簡単な説明】
【図１】本発明の第１実施形態の手提げ袋用シール部材の斜視図
【図２】同じく断面図
【図３】同じく折り曲げた場合の斜視図
【図４】同じく側面図
【図５】同じく粘着剤層を露出させた場合の斜視図
【図６】同じく側面図
【図７】同じく使用例を示す斜視図
【図８】本発明の第２実施形態の手提げ袋用シール部材の断面図
【図９】本発明の他の実施形態の手提げ袋用シール部材の断面図
【図１０】同じく他の実施形態の手提げ袋用シール部材の断面図
【図１１】同じく他の実施形態の手提げ袋用シール部材の断面図
【符号の説明】
１０，２０…手提げ袋用シール部材
１１，２１…テープ本体
１２，２２…粘着剤層
１３，２３…非粘着面
１４…折り目
１７，２７…紙
１８，２８…剥離層
２６…剥離紙
【図１】
2004250033.tif 000003
【図２】
2004250033.tif 000004
【図３】
2004250033.tif 000005
【図４】
2004250033.tif 000006
【図５】
2004250033.tif 000007
【図６】
2004250033.tif 000008
【図７】
2004250033.tif 000009
【図８】
2004250033.tif 000010
【図９】
2004250033.tif 000011
【図１０】
2004250033.tif 000012
【図１１】
2004250033.tif 000013